(57)【要約】【課題】  この発明の課題は、ワイドパネル本体を容易にフロントマスクに着脱でき、しかも水流などの圧力で流失、紛失せず、さらに光の拡散ができるワイドパネル構造を提供するものである。【解決手段】  筒状ストロボの先に円周方向に溝を形成したフロントマスクを取り付け、このフロン卜マスクに脱着するキャップ形状のワイドパネル本体からなるワイドパネルの取り付け構造において、楔状で形成されこの楔状の段付部を前記ワイドパネル本体の底側に、楔状の傾斜面側を前記ワイドパネル本体の内側にして前記ワイドパネル本体の直径線上で且つ前記ワイドパネル本体の内周面と一体化して内側に突出した突起を少なくとも２個形成したことを特徴とするワイドパネル本体の取り付け構造。【選択図】図１
2005316215.tif 000002
【特許請求の範囲】
【請求項１】
筒状ストロボの先に円周方向に溝を形成したフロントマスクを取り付け、このフロントマスクに脱着するキャップ形状のワイドパネル本体からなるワイドパネルの取り付け構造において、楔状で形成されこの楔状の段付部を前記ワイドパネル本体の底側に、楔状の傾斜面側を前記ワイドパネル本体の内側にして前記ワイドパネル本体の直径線上で且つ前記ワイドパネル本体の内周面と一体化して内側に突出した突起を少なくとも２個形成したことを特徴とするワイドパネルの取り付け構造。
【請求項２】
前記突起は略三角形の楔状で、この楔状の段付き部は前記ワイドパネル本体の底面に平行で、傾斜面は前記ワイドパネル本体の内側に向け、残りの辺は前記ワイドパネル本体の軸と平行にして前記ワイドパネル本体の内壁と同一面になる配置にしたことを特徴とする請求項第１項記載のワイドパネルの取り付け構造。
【請求項３】
前記突起は前記フロントマスクが前記ワイドパネル本体に挿入され前記溝に突起の段付き箇所が系合する箇所に設けたことを特徴とする請求項第１項記載のワイドパネルの取り付け構造。
【請求項４】
前記ワイドパネル本体の開口部分はこれ以外の内周長より序々に広がるラッパの開口部形状にしたことを特徴とする請求項第１項記載のワイドパネルの取り付け構造。
【請求項５】
開口箇所に向かって広径する有底の筒型ワイドパネル本体と、該ワイドパネル本体の底に設けられたスレーブ用穴と、前記ワイドパネル本体の直径線上の内壁に設けられた突起と、前記ワイドパネル本体の外周の一部に一体で形成した紐掛け部とからなることを特徴とするワイドパネル。
【発明の詳細な説明】
【技術分野】
【０００１】
この発明は水中ストロボに係り、ストロボ光を拡散して水中の近接撮影する際に採用さ  れるワイドパネルの取り付け構造の改良に関する。
【背景技術】
【０００２】
ー般的にダイバー等が水中で写真撮影する場合、光量を得る為に水中ストロボを用いる  がこの水中ストロボは撮影した際、ストロボ光が一点に集まるので狭い範囲を近接して撮影するには好適であるが、広い範囲を近接して撮影するにはストロボ光が一点に集まり過ぎて不向きであった。そのためにストロボ光が一点に集まることなく拡散できるワイドパネルが利用されるがこのワイドパネルをあまり手を加えずにフロントマスクに取り付ける構造が望まれている。
【０００３】
このワイドパネルは使用環境から水中ストロボから外して水中ストロボの光のみを用いることも考慮してフロントマスクとの着脱タイプが待たれている。しかしフロン卜マスクとワイドパネルとの固定タイプに比べ着脱タイプであるとストロボのフロントマスクに取り付けたワイドパネルはスレーブ（光受光素子部）穴等から水流がワイドパネルとフロントパネルと内部に侵入しワイドパネル内の外側えの水圧を高めこの水圧などで容易にワイドパネルが水中ストロボから外れ紛失、流失すること等が考えられる。
【０００４】
従って、ワイドパネルの内側に侵入した水流による水圧では脱落せずにしかもフロントマスクとの脱着が容易で、光の拡散ができるワイドパネルが望まれている。ワイドパネルは又、ワイドパネルの内側に進入した水流を抵抗なく外部に排出できる構造が望まれ、岡時にこのスムーズな排出構造がワイドパネルの構造自体を弱くせずに実現できることも望まれているのである。
【特許文献１】特開平５−９４７５０号公報
【発明の開示】
【発明が解決しようとする課題】
【０００５】
従って、この発明の課題は、ワイドパネル本体を容易且つ確実にフロントマスクに装着でき取り外しも容易な、しかも水流などの圧力で流失、紛失せず、さらに光の拡散ができるワイドパネル構造を提供するものである。
【課題を解決するための手段】
【０００６】
上記の課題を解決するために、筒状ストロボの先に円周方向に溝を形成したフロント  マスクを取り付け、このフロントマスクに脱着するキャップ形状のワイドパネルからなるワイドパネル本体の取り付け構造において、楔状で形成されこの楔状の段付部を前記ワイドパネル本体の底側に、楔状の傾斜面側を前記ワイドパネル本体の内側にして前記ワイドパネル本体の直径線上で且つ前記ワイドパネル本体の内周面と一体化して内側に突出した突起を少なくとも２個形成することによってワイドパネル本体を容易且つ確実にフロントマスクに装着でき取り外しも容易な、しかも水流などの圧力で流失、紛失せず、さらに光の拡散ができるワイドパネル構造を提供できるものである。
【発明の効果】
【０００７】
請求項１，２，３，４，５に記載の発明によればフロントマスクに対してワイドパネル本体を容易に且つ確実にフロイントマスクに装着できしかも取り外しも容易で水流、の圧力での流失生ぜず光の拡散ができる効果がある。
【発明を実施するための最良の形態】
【０００８】
（実施形態１）
以下、この発明の実施例を添付図面、図１、図２、図３、図４に基づいて説明する。
図１の１はワイドパネル本体で片方が開口し一方が有底の筒状のプラスチック材で形成したものである。このワイドパネル本体１の外周囲付近には適当な間隔で４個のスリット２を形成し、更に有底部分の外周に近い個所にはストロボ３の前面に設置されているスレーブ（光受光素子）４の円形の窓５が１個形成してある。
【０００９】
前記ストロボ３の前面にはフロントマスク６が形成してあって、この場合、フロントマスク６の外周は前記ワイドパネル本体１が嵌合できるように両者の寸法が設定してある。又位置的に窓５とスレーブ４とは一致できる様に寸法選択して配置してある。７はストロボ３の発光部、８は外周に形成した溝で図２に示すワイドパネル本体１の突起９、１０が係合で巻るように係合具合を調節して形成してある。尚図２は図１のＡ矢視方向から見た図である。
【００１０】
前記突起９、１０は第２図及び第３図に示すように前記ワイドパネル本体１の直径線上でしかも内壁に一体で形成したもので、形状は前記ワイドパネル本体１の底側が段付きで形成し、この段付き箇所からワイドパネル本体１の開口に向かって広径になるように楔状に形成してある。この楔状の突起９、１０はその段付部を前記ワイドパネル本体１の底側に、楔状の傾斜面側を前記ワイドパネル本体１の内側にして前記ワイドパネル本体１の直径線上で且つ前記ワイドパネル本体１の内周面と一体化して内側に突出した形状である。又、突起９、１０は前記ワイドパネル本体１の突起９、１０の段付き箇所から底までの距離は前記フロントマスク６の溝８に突起９、１０が嵌合できる寸法に嵌合設定してある。前記溝８に突起９、１０が嵌合すると段付きによって嵌合方向に水流等で容易にワイドパネル本体１がフロントマスク６から外れることはない。
【００１１】
このように構成したワイドパネル本体１をストロボ３のフロントマスク６に取り付ける場合は矢視Ｂの方向からワイドパネル本体１の開口側を挿入すると、ワイドパネル本体１の開口はラッパ口状の広径になっているから容易に取り付き、ここから序々に強制的に挿入するとワイドパネル本体１の開口部はフロントマスク１の先端で押し広げられ、更に強く強制的に挿入するとフロントパネル１の先端が突起９、１０の楔を強く押しフロントパネル１の溝８に突起９、１０（段付き）が弾力的に確実に嵌合し段付き部分で外方向の力に対して保持できるから水流等で容易に脱落することがなくなる。しかし人手では容易に取り外しできる様に嵌合調整してある。この様に取り付けたワイドパネル本体１には窓５が形成してあるからスレーブ４の機能に邪魔にならない。
【００１２】
また、ワイドパネル本体１をフロントマスク６に取り付け、水中で使用中、ワイドパネル本体１とフロントマスク６との間に水が入ってもスリット２から流出し水流の圧力がワイドパネル本体１にかかることを軽減できる。また、外部から水流の圧力を受けても溝８に突起９、１０（段付き）が確実に嵌合しているからワイドパネル本体１が簡単に外れることはないものである。
【００１３】
上記実施例の突起の個数は適宜変更できるものであり必要に応じて個数の増減を計ればよい。また、ワイドパネル本体１の開口箇所は広径にしてあるが広径の角度も適宜変更できるものであり発明の要旨を逸脱しない範囲で種々応用が可能である勿論である。
【図面の簡単な説明】
【００１４】
【図１】この発明に係わるワイドパネルとストロボとの組み合わせ斜視図。（実施形態１）
【図２】図１のＡ矢視方向から見たワイドパネルの断面図。
【図３】図２の要部の拡大図。
【図４】突起の形状を示す図。
【符号の説明】
【００１５】
１  ワイドパネル本体
２  スリット
３  ストロボ
４  スレーブ
５  窓
６  フロントマスク
７  発光部
８  溝
９、１０  突起
【図１】
2005316215.tif 000003
【図２】
2005316215.tif 000004
【図３】
2005316215.tif 000005
【図４】
2005316215.tif 000006